【手続補正書】
【提出日】平成19年11月2日(2007.11.2)
【手続補正１】
【補正対象書類名】明細書
【補正対象項目名】発明の名称
【補正方法】変更
【補正の内容】
【発明の名称】液晶表示装置、および液晶表示装置の電圧供給停止方法
【手続補正２】
【補正対象書類名】明細書
【補正対象項目名】特許請求の範囲
【補正方法】変更
【補正の内容】
【特許請求の範囲】
【請求項１】  複数の、画素電極と共通電極との間に狭持される液晶セルがマトリクス状に配置された液晶表示装置であって、
前記複数の液晶セルに対する、前記画素電極側および／または前記共通電極側への電圧の印加のＯＮ・ＯＦＦ状態を切り替えるためのスイッチ手段と、
前記画素電極側および／または前記共通電極側への電圧の供給が停止された後に、実質上前記ＯＮ状態では前記液晶セルの両端に印加されるはずの電位差が、所定のレベル以下になるまでは、前記ＯＦＦ状態を実質上保持するような制御を行う制御手段とを備えたことを特徴とする液晶表示装置。
【請求項２】  前記ＯＮ・ＯＦＦ状態の切り替えは、前記スイッチ手段への電圧の印加を利用することにより行われており、
前記ＯＦＦ状態を実質上保持するとは、前記スイッチ手段へ印加される電圧を所定の範囲に保持することであることを特徴とする請求項１記載の液晶表示装置。
【請求項３】  前記電圧の供給が停止される際に、前記液晶セルの両端に印加されるはずの電位差が所定のレベル以下になるように、前記複数の液晶セルに一律に停止データ信号を書き込むための停止データ信号書き込み手段を備え、
前記ＯＦＦ状態への切り替えは、前記停止データの書き込み後に行われ、
前記電圧の供給の停止は、前記ＯＦＦ状態への切り替え後に行われることを特徴とする請求項２記載の液晶表示装置。
【請求項４】  前記液晶セルの両端に印加されるはずの電位差が所定のレベル以下になるとは、前記画素電極側に供給される電圧および前記共通電極側に供給される電圧が、実質的に所定の基準電位にまで立ち下がることであり、
前記制御手段は、前記画素電極側に供給される電圧と前記共通電極側に供給される電圧とが実質的に基準電位にまで立ち下がるまでは、前記スイッチ手段へ印加される電圧が所定の範囲に保持されるような容量を有するコンデンサであることを特徴とする請求項２または３記載の液晶表示装置。
【請求項５】  前記液晶セルの両端に印加されるはずの電位差が所定のレベル以下になるとは、前記画素電極側に供給される電圧および前記共通電極側に供給される電圧が、実質的に所定の基準電位にまで立ち下がることであり、
前記制御手段は、前記画素電極側に供給される電圧と前記共通電極側に供給される電圧とが実質的に基準電位にまで立ち下がるまでは、前記スイッチ手段へ印加される電圧が所定の範囲に保持されるように、放電を行うための放電手段であることを特徴とする請求項２または３記載の液晶表示装置。
【請求項６】  前記制御手段は、前記画素電極側に供給される電圧と前記共通電極側に供給される電圧とが実質的に一致するまでは、前記スイッチ手段へ印加される電圧が所定の範囲に保持されるように、回路の接続を行うための接続手段であることを特徴とする請求項２または３記載の液晶表示装置。
【請求項７】  複数の、画素電極と共通電極との間に狭持される液晶セルがマトリクス状に配置された液晶表示装置であって、
前記画素電極側および／または前記共通電極側への電圧の供給が停止される際に、前記複数の液晶セルに一律に停止データ信号を書き込むための停止データ信号書き込み手段を備え、
前記電圧の供給の停止は、停止データ信号の書き込み後に行われることを特徴とする液晶表示装置。
【請求項８】  前記複数の液晶セルに対する、前記画素電極側および／または前記共通電極側への電圧の印加のＯＮ・ＯＦＦ状態を切り替えるためのスイッチ手段を備え、
前記停止データ信号の書き込みは、前記画素電極側への書き込みが可能な実質上最低の電圧の印加を利用して、実質上前記ＯＮ状態では前記液晶セルの両端に印加されるはずの電位差が所定のレベル以下になるように行われ、
前記ＯＦＦ状態への切り替えは、前記停止データの書き込み後に行われ、
前記電圧の供給の停止は、前記ＯＦＦ状態への切り替え後に行われることを特徴とする請求項７記載の液晶表示装置。
【請求項９】  複数の、画素電極と共通電極との間に狭持される液晶セルがマトリクス状に配置された液晶表示装置の電圧供給停止方法であって、
前記画素電極側および／または前記共通電極側への電圧の供給が停止された後に、前記液晶セルの両端に印加されるはずの電位差が所定のレベル以下になるまでは、前記複数の液晶セルに対する前記画素電極側および／または前記共通電極側への電圧の印加を制限するような制御を行うことを特徴とする液晶表示装置の電圧供給停止方法。
【手続補正３】
【補正対象書類名】明細書
【補正対象項目名】０００１
【補正方法】変更
【補正の内容】
【０００１】
【発明の属する技術分野】
本発明は、液晶表示装置、および液晶表示装置の電圧供給停止方法に関する。
【手続補正４】
【補正対象書類名】明細書
【補正対象項目名】００２０
【補正方法】変更
【補正の内容】
【００２０】
本発明は、上記従来のこのような課題を考慮し、電圧供給停止時における画面の乱れを抑制することができる液晶表示装置、および液晶表示装置の電圧供給停止方法を提供することを目的とする。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】変更
【補正の内容】
【００３０】
第九の本発明（請求項９に対応）は、複数の、画素電極と共通電極との間に狭持される液晶セルがマトリクス状に配置された液晶表示装置の電圧供給停止方法であって、
前記画素電極側および／または前記共通電極側への電圧の供給が停止された後に、前記液晶セルの両端に印加されるはずの電位差が所定のレベル以下になるまでは、前記複数の液晶セルに対する前記画素電極側および／または前記共通電極側への電圧の印加を制限するような制御を行うことを特徴とする液晶表示装置の電圧供給停止方法である。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００７６
【補正方法】変更
【補正の内容】
【００７６】
また、本発明は、たとえば、上述の液晶表示装置において、ＡＶＤＤとＶＣＯＭに配設された放電手段を、ＡＶＤＤとＡＣＯＭの電圧供給停止と同時に動作させ、ＡＶＤＤとＶＣＯＭをＶＧＬの立ち下がりに対して十分速く立ち下がるように強制し、その間ＶＧＬが十分な電圧を維持するようにコンデンサの容量を調節し、ＶＧＬをＡＶＤＤ、ＶＣＯＭ、ＶＧＨと同じ第３番目に電圧供給停止した場合にも、ＶＧＬの残電圧により擬似的にＶＧＬが第４番目に電圧供給停止される状態を確実に作り出し、第１番目に、液晶印加電圧が一番低いデータ信号を全画素に書き込み、第２番目に、全薄膜トランジスタをオフ状態にする信号（ＯＥＶ）を走査側駆動手段に与え、第３番目に、ＡＶＤＤ、ＶＣＯＭ、ＶＧＨ、ＶＧＬの電圧供給を停止すると同時に、ＡＶＤＤとＶＣＯＭに配設された放電手段を夫々動作させ、第４番目に、ＧＶＤＤ、ＳＶＤＤ、ＣＶＤＤの電圧供給を停止することを特徴とする。
【手続補正１２】
【補正対象書類名】明細書
【補正対象項目名】００８６
【補正方法】変更
【補正の内容】
【００８６】
また、上述した本発明または本発明に関連する発明の液晶表示装置、および情報処理装置の全部または一部の手段の全部または一部の機能をコンピュータにより実行させるためのプログラムおよび／またはデータを担持した媒体であり、コンピュータにより読み取り可能、かつ読み取られた前記プログラムおよび／またはデータが前記コンピュータと協動して前記機能を実行する媒体は、本発明に関連する発明である。
【手続補正１３】
【補正対象書類名】明細書
【補正対象項目名】００８７
【補正方法】変更
【補正の内容】
【００８７】
また、上述した本発明の液晶表示装置の電圧供給停止方法の全部または一部のステップの全部または一部の動作をコンピュータにより実行させるためのプログラムおよび／またはデータを担持した媒体であり、コンピュータにより読み取り可能、かつ読み取られた前記プログラムおよび／またはデータが前記コンピュータと協動して前記機能を実行する媒体は、本発明に関連する発明である。
【手続補正１４】
【補正対象書類名】明細書
【補正対象項目名】００８８
【補正方法】変更
【補正の内容】
【００８８】
また、上述した本発明または本発明に関連する発明の液晶表示装置、および情報処理装置の全部または一部の手段の全部または一部の機能をコンピュータにより実行させるためのプログラムおよび／またはデータを担持した情報集合体であり、コンピュータにより読み取り可能、かつ読み取られた前記プログラムおよび／またはデータが前記コンピュータと協動して前記機能を実行する情報集合体は、本発明に関連する発明である。
【手続補正１５】
【補正対象書類名】明細書
【補正対象項目名】００８９
【補正方法】変更
【補正の内容】
【００８９】
また、上述した本発明の液晶表示装置の電圧供給停止方法の全部または一部のステップの全部または一部の動作をコンピュータにより実行させるためのプログラムおよび／またはデータを担持した情報集合体であり、コンピュータにより読み取り可能、かつ読み取られた前記プログラムおよび／またはデータが前記コンピュータと協動して前記機能を実行する情報集合体は、本発明に関連する発明である。
【手続補正１６】
【補正対象書類名】明細書
【補正対象項目名】００９３
【補正方法】変更
【補正の内容】
【００９３】
【発明の効果】
以上の説明から明らかなように、本発明は、電圧供給停止時における画面の乱れを抑制することができる液晶表示装置、および液晶表示装置の電圧供給停止方法を提供することができるという長所を有する。